(57)【要約】【課題】複数の無停電電源装置に設けられた冷却ファンのうち、特定の冷却ファンの過度な劣化を防ぐことができる制御装置、制御方法、無停電電源装置及びコンピュータプログラムを提供することである。【解決手段】実施形態の制御装置は、状態制御部を持つ。状態制御部は、負荷に電力を供給する第１無停電電源装置が備えるファンの劣化度を表す第１劣化度と第１無停電電源装置の停止時に負荷へ電力を供給する第２無停電電源装置が備えるファンの劣化度を表す第２劣化度とのうち、より小さい劣化度を表すファンを備える無停電電源装置が負荷に電力を供給するように制御する。【選択図】図１
2020137228.tif 000002
【特許請求の範囲】
【請求項１】
負荷に電力を供給する第１無停電電源装置が備えるファンの劣化度を表す第１劣化度と前記第１無停電電源装置の停止時に前記負荷へ電力を供給する第２無停電電源装置が備えるファンの劣化度を表す第２劣化度とのうち、より小さい劣化度を表すファンを備える無停電電源装置が前記負荷に電力を供給するように制御する状態制御部、
を備える制御装置。
【請求項２】
前記ファンの駆動音に基づいて前記ファンの劣化度を推定する劣化度推定部をさらに備える請求項１に記載の制御装置。
【請求項３】
前記第１劣化度又は前記第２劣化度に基づいて、前記第１無停電電源装置及び前記第２無停電電源装置の設置された環境を制御する空調装置を制御する空調制御部をさらに備える、請求項１又は２に記載の制御装置。
【請求項４】
制御装置が、負荷に電力を供給する第１無停電電源装置が備えるファンの劣化度を表す第１劣化度と前記第１無停電電源装置の停止時に前記負荷へ電力を供給する第２無停電電源装置が備えるファンの劣化度を表す第２劣化度とのうち、より小さい劣化度を表すファンを備える無停電電源装置が前記負荷に電力を供給するように制御する状態制御ステップを有する制御方法。
【請求項５】
請求項１から３のいずれか一項に記載の制御装置を備える無停電電源装置。
【請求項６】
請求項１から３のいずれか一項に記載の制御装置としてコンピュータを機能させるためのコンピュータプログラム。
【発明の詳細な説明】
【技術分野】
【０００１】
本発明の実施形態は、制御装置、制御方法、無停電電源装置及びコンピュータプログラムに関する。
【背景技術】
【０００２】
従来、インターネットデータセンター、銀行又は証券会社のオンラインシステム等の負荷設備の電源は、停電が発生した場合でも定電圧・定周波数の状態が継続して維持される必要がある。そのため、外部の商用電源から供給される交流電源が喪失した場合には、蓄電池に充電された電力を負荷設備に電力を供給する無停電電源装置（ＵＰＳ：Uninterruptible Power Supply）が一般的に用いられている。無停電電源装置は、インバータ・コンバータ等の内蔵機器から発生される熱を放熱するために冷却ファンを備える。無停電電源装置は、冷却ファンの故障によって無停電電源装置が備える内蔵機器が破損する恐れがある。このため、無停電電源装置は、冷却ファンの故障によって無停電電源装置自身も停止させる仕組みを有することが一般的である。冷却ファンは、無停電電源装置よりも寿命が短いため、定期交換が必要となる。しかしながら、冷却ファンは、使用環境及び個体差によって寿命が前後する場合がある。このため、冷却ファンが定期交換前に故障することによって、無停電電源装置が停止する場合があった。
【先行技術文献】
【特許文献】
【０００３】
【特許文献１】特開２０１８−９８９６０号公報
【特許文献２】特開２０１６−７８２９９号公報
【特許文献３】特開２０１２−２２６９６０号公報
【発明の概要】
【発明が解決しようとする課題】
【０００４】
本発明が解決しようとする課題は、複数の無停電電源装置に設けられた冷却ファンのうち、特定の冷却ファンの過度な劣化を防ぐことができる制御装置、制御方法、無停電電源装置及びコンピュータプログラムを提供することである。
【課題を解決するための手段】
【０００５】
実施形態の制御装置は、状態制御部を持つ。状態制御部は、負荷に電力を供給する第１無停電電源装置が備えるファンの劣化度を表す第１劣化度と前記第１無停電電源装置の停止時に前記負荷へ電力を供給する第２無停電電源装置が備えるファンの劣化度を表す第２劣化度とのうち、より小さい劣化度を表すファンを備える無停電電源装置が前記負荷に電力を供給するように制御する。
【図面の簡単な説明】
【０００６】
【図１】第１の実施形態の無停電電源システム１を示す概略図の一例を示す図。
【図２】第１の実施形態の制御装置１００の構成を示す機能ブロック図。
【図３】第１の実施形態の制御装置１００の処理の流れを示すフローチャート。
【図４】第１の実施形態の無停電電源システム１の処理の流れを示すシーケンス図。
【図５】第２の実施形態の無停電電源システム２を示す概略図の一例を示す図。
【図６】第２の実施形態の制御装置１００ａの構成を示す機能ブロック図。
【発明を実施するための形態】
【０００７】
以下、実施形態の制御装置、制御方法、無停電電源装置及びコンピュータプログラムを、図面を参照して説明する。
【０００８】
図１は、第１の実施形態の無停電電源システム１を示す概略図の一例を示す図である。無停電電源システム１は、複数の無停電電源装置１０（無停電電源装置１０−１〜無停電電源装置１０−２）と並列盤２００とを備える。無停電電源システム１は、負荷３００に電力を供給する。無停電電源システム１は、複数の無停電電源装置１０を待機並列で構成する。待機並列構成とは、主系となる無停電電源装置１０と従系となる無停電電源装置１０とで構成される。本実施形態では、無停電電源装置１０−１を主系、無停電電源装置１０−２を従系として説明する。主系となる無停電電源装置１０−１は、負荷３００に電力を供給する。従系となる無停電電源装置１０−２は、無停電電源装置１０−１によって電力が供給されている間は負荷３００に電力を供給しない。無停電電源装置１０−２は、無停電電源装置１０−１が停止した場合に、負荷３００に電力を供給する。なお、本実施形態において、無停電電源装置１０の数を２つとしたが、３つ以上であってもよい。なお、無停電電源装置１０−２は、図１に示す無停電電源装置１０−１の構成例と同様の構成を有する。以下、いずれの無停電電源装置であるかを区別しないときは、単に無停電電源装置１０と称して説明する。無停電電源装置１０−１は、第１無停電電源装置の一態様である。無停電電源装置１０−２は、第２無停電電源装置の一態様である。
【０００９】
無停電電源装置１０は、交流の商用電源５から電力が供給されている場合（以下「平常時」という。）には、商用電源５から供給される交流電力を負荷３００に供給する。このような平常時における無停電電源システム１の稼働状態を、「平常状態」という。一方、交流の商用電源５による交流電力の供給が停止した場合（以下「障害時」という。）、無停電電源装置１０は、自装置に接続されている蓄電池４０から交流電力を負荷３００に供給する。このような障害時における無停電電源システム１の稼働状態を「放電状態」という。無停電電源装置１０は、上述した二つの稼働状態の切り替えを制御する。
【００１０】
無停電電源装置１０は、コンバータ２０（コンバータ２０−１〜コンバータ２０−２）、インバータ３０（インバータ３０−１〜インバータ３０−２）、蓄電池４０（蓄電池４０−１〜蓄電池４０−２）、切替器５０（切替器５０−１〜切替器５０−２）、冷却ファン６０（冷却ファン６０−１〜冷却ファン６０−２）及び制御装置１００（制御装置１００−１〜制御装置１００−２）を備える。制御装置１００は、ＣＰＵ（Central Processing Unit）等のプロセッサがプログラムを実行することによって実現される。
【００１１】
コンバータ２０−１は、商用電源５から供給された交流電力を直流電力に順変換する。
インバータ３０−１は、コンバータ２０−１及び蓄電池４０−１に接続されている。インバータ３０−１は、コンバータ２０−１から出力される直流電力と、蓄電池４０−１から供給される直流電力と、を交流電力に変換する。インバータ３０−１から出力された交流電力は切替器５０−１と並列盤２００とを介して負荷３００に供給される。
【００１２】
蓄電池４０（蓄電池４０−１〜蓄電池４０−２）は、平常時には、無停電電源装置１０を介して交流の商用電源５から供給される電力の一部を蓄電する。一方、障害時には、蓄電されていた電力をインバータ３０（インバータ３０−１〜インバータ３０−２）に放電する。
【００１３】
切替器５０−１は、負荷３００に供給される交流電力の供給経路を、制御装置１００−１の制御にしたがって切り替える。供給経路には２つの種類がある。第１の供給経路は、コンバータ２０−１及びインバータ３０−１を経由する供給経路である。第２の供給経路は、コンバータ２０−１及びインバータ３０−１を経由しない供給経路である。第１の供給経路は、通常時に利用される経路である。第２の供給経路は、例えば無停電電源装置１０のメンテナンス時など第１の供給経路を用いることができない際に利用される経路である。
【００１４】
冷却ファン６０（冷却ファン６０−１〜冷却ファン６０−２）は、回転駆動することで、無停電電源装置１０の放熱を補助する。冷却ファン６０は、無停電電源装置１０に設けられる。
【００１５】
並列盤２００は、複数の電源スイッチ（不図示）を備える。並列盤２００は、無停電電源装置１０からの電源スイッチの閉成に応じて、無停電電源装置１０のインバータ３０側から負荷３００側への給電を選択する。
【００１６】
負荷３００は、無停電電源装置１０から供給される交流電力によって動作する電気機器である。例えば、負荷３００は、インターネットデータセンター、銀行又は証券会社のオンラインシステム等の負荷設備である。
【００１７】
図２は、第１の実施形態の制御装置１００の構成を示す機能ブロック図である。以下、図２を用いて制御装置１００の各装置の構成について説明する。制御装置１００は、制御プログラムを実行することによって通信部１０１、マイク１０２及び及び制御部１０３を備える装置として機能する。制御装置１００は、ＡＳＩＣ（Application Specific Integrated Circuit）やＰＬＤ（Programmable Logic Device）やＦＰＧＡ（Field Programmable Gate Array）等のハードウェアを用いて実現されてもよい。なお、制御装置１００−１の構成と制御装置１００−２の構成とは、図２に示す制御装置１００の構成例と同様の構成を有する。
【００１８】
通信部１０１は、ネットワークインタフェースである。通信部１０１はネットワーク又は通信回線を介して、他の装置と通信する。通信部１０１は、例えば無線ＬＡＮ（Local Area Network）、有線ＬＡＮ、Ｂｌｕｅｔｏｏｔｈ（登録商標）又はＬＴＥ（Long Term Evolution）（登録商標）等の通信方式で通信してもよい。
【００１９】
マイク１０２は、冷却ファン６０の駆動音を取得する。マイク１０２は、冷却ファン６０に接触することなく冷却ファン６０の駆動音を取得する。マイク１０２は、取得した音に基づいて音声信号を生成する。マイク１０２は、生成された音声信号を制御部１０３に出力する。
【００２０】
制御部１０３は、制御装置１００の各部の動作を制御する。制御部１０３は、例えばＣＰＵ等のプロセッサ及びＲＡＭ（Random Access Memory）を備えた装置により実行される。制御部１０３は、制御プログラムを実行することによって、自装置劣化度推定部１０４、他装置劣化度取得部１０５、劣化度判定部１０６及び状態制御部１０７として機能する。
【００２１】
自装置劣化度推定部１０４は、無停電電源装置１０に設けられた冷却ファン６０の劣化度を推定する。劣化度は、冷却ファン６０の品質又は性能の低下を表す指標である。劣化度は、冷却ファン６０の駆動音に基づいて推定される。冷却ファン６０の劣化は、アレニウス則に基づいて冷却ファン６０の周辺温度が高くなるほど加速する。このため、劣化度は、主系の無停電電源装置１０−１に設けられた冷却ファン６０ほど加速する。
【００２２】
自装置劣化度推定部１０４は、音声信号からノイズとなる音声を除去することで冷却ファン６０の駆動音を取得する。冷却ファン６０の駆動音は、例えば、冷却ファン６０を構成するベアリングの音であってもよい。ノイズとなる音声は、例えば、コンバータ２０の動作音、インバータ３０の動作音又は冷却ファン６０の回転によって生じる風の音等である。ノイズとなる音声は、冷却ファン６０の駆動音以外の音声であればどのような音声であってもよい。自装置劣化度推定部１０４は、予めノイズとなる音声の特徴を保持している。自装置劣化度推定部１０４は、取得された冷却ファン６０の駆動音に基づいて劣化度を推定する。自装置劣化度推定部１０４は、自装置劣化度推定部１０４は、取得された冷却ファン６０の駆動音のうち可聴域から外れた周波数帯域の音に対して公知の手法を用いることで劣化度を推定してもよい。自装置劣化度推定部１０４は、推定された劣化度を自装置劣化度として劣化度判定部１０６に出力する。
【００２３】
他装置劣化度取得部１０５は、通信部１０１を介して他の制御装置１００から劣化度を取得する。他の制御装置１００とは、無停電電源システム１を構成する無停電電源装置１０が備える制御装置である。他装置劣化度取得部１０５は、取得された劣化度を他装置劣化度として劣化度判定部１０６に出力する。
【００２４】
劣化度判定部１０６は、自装置劣化度と他装置劣化度とに基づいて、どの無停電電源装置１０に設けられた冷却ファン６０が最も劣化しているかを判定する。具体的には、劣化度判定部１０６は、自装置劣化度と他装置劣化度とを比較する。劣化度判定部１０６は、自装置劣化度よりも他装置劣化度の劣化度が高い場合、自装置となる無停電電源装置１０に設けられた冷却ファン６０よりも他装置となる無停電電源装置１０に設けられた冷却ファン６０のほうが劣化していると判定する。劣化度判定部１０６は、他装置劣化度よりも自装置劣化度の劣化度が高い場合、他装置となる無停電電源装置１０に設けられた冷却ファン６０よりも自装置となる無停電電源装置１０に設けられた冷却ファン６０のほうが劣化していると判定する。劣化度判定部１０６は、判定結果を状態制御部１０７に出力する。
【００２５】
状態制御部１０７は、劣化度判定部１０６による判定結果に基づいて、劣化度の小さい冷却ファン６０の設置された無停電電源装置１０が負荷３００に電力を供給するように制御する。具体的には、状態制御部１０７は、自装置劣化度よりも他装置劣化度の劣化度が高いことを示す判定結果を取得した場合、他の制御装置１００に対して主系制御情報を送信する。状態制御部１０７は、自装置となる無停電電源装置１０が主系として動作する制御を行う。主系制御情報は、自装置が主系となることを他の制御装置１００に通知する情報である。主系制御情報は、自装置を主系とするタイミングを含んでいてもよい。状態制御部１０７は、所定のタイミングで無停電電源装置１０を主系として動作させる。主系として制御された無停電電源装置１０は、負荷３００に電力を供給する。状態制御部１０７は、他装置劣化度よりも自装置劣化度の劣化度が高いことを示す判定結果を取得した場合、自装置が従系として動作する制御を行う。状態制御部１０７は、他の制御装置１００から主系制御情報を取得する。状態制御部１０７は、所定のタイミングで無停電電源装置１０を従系として動作させる。従系として制御された無停電電源装置１０は、負荷３００に電力を供給しない。所定のタイミングとは、制御装置１００と他の制御装置１００とが主系又は従系としての動作を切り替えるタイミングが一致していればどのようなタイミングであってもよい。なお、状態制御部１０７は、判定結果に基づいて、無停電電源装置１０の主系と従系とを切り替える必要がない場合、切り替える制御を行わない。
【００２６】
図３は、第１の実施形態の制御装置１００の処理の流れを示すフローチャートである。制御装置１００は、所定のタイミングで処理を行う。所定のタイミングとは、１時間おきであってもよいし、１日おきであってもよい。所定のタイミングとは、予め定められたタイミングであればどのようなタイミングであってもよい。図３において、自装置とは無停電電源装置１０−１、他装置とは無停電電源装置１０−２であるとして説明する。制御装置１００のマイク１０２は、冷却ファン６０の駆動音をを取得する（ステップＳ１０１）。自装置劣化度推定部１０４は、無停電電源装置１０−１に設けられた冷却ファン６０−１の劣化度を示す自装置劣化度を推定する（ステップＳ１０２）。他装置劣化度取得部１０５は、通信部１０１を介して他の制御装置１００−２から、制御装置１００−２を備える無停電電源装置１０−２に設けられた冷却ファン６０−２の劣化度を示す他装置劣化度を取得する（ステップＳ１０３）。
【００２７】
劣化度判定部１０６は、自装置劣化度と他装置劣化度とを比較することで、いずれの無停電電源装置１０に設けられた冷却ファン６０が最も劣化しているかを判定する（ステップＳ１０４）。自装置劣化度よりも他装置劣化度のほうが劣化度が高い場合（ステップＳ１０４：ＹＥＳ）、状態制御部１０７は、無停電電源装置１０−１を主系に制御する（ステップＳ１０５）。自装置劣化度よりも他装置劣化度のほうが劣化度が高くない場合（ステップＳ１０４：ＮＯ）、状態制御部１０７は、無停電電源装置１０−１を従系に制御する（ステップＳ１０６）。
【００２８】
図４は、第１の実施形態の無停電電源システム１の処理の流れを示すシーケンス図である。ここでは、無停電電源システム１が、無停電電源装置１０−１を主系、無停電電源装置１０−２を従系に制御する場合について説明する。制御装置１００−１のマイク１０２−１は、冷却ファン６０−１から駆動音を取得する（ステップＳ２０１）。制御装置１００−２のマイク１０２−２は、冷却ファン６０−１から駆動音を取得する（ステップＳ２０２）。制御装置１００−１の自装置劣化度推定部１０４−１は、無停電電源装置１０−１に設けられた冷却ファン６０−１の劣化度を示す自装置劣化度を推定する（ステップＳ２０３）。制御装置１００−２の自装置劣化度推定部１０４−２は、無停電電源装置１０−２に設けられた冷却ファン６０−２の劣化度を示す自装置劣化度を推定する（ステップＳ２０４）。制御装置１００−１の他装置劣化度取得部１０５−１は、通信部１０１−１を介して制御装置１００−２から劣化度を取得する（ステップＳ２０５）。制御装置１００−２の他装置劣化度取得部１０５−２は、通信部１０１−２を介して制御装置１００−１から劣化度を取得する（ステップＳ２０６）。
【００２９】
制御装置１００−１の劣化度判定部１０６−１は、無停電電源装置１０−１に設けられた冷却ファン６０−１の劣化度と無停電電源装置１０−２に設けられた冷却ファン６０−２の劣化度とを比較する（ステップＳ２０７）。劣化度判定部１０６−１は、比較の結果、無停電電源装置１０−１の劣化度よりも無停電電源装置１０−２の劣化度のほうが、劣化度が高いと判定する。制御装置１００−２の劣化度判定部１０６−２は、無停電電源装置１０−２に設けられた冷却ファン６０−２の劣化度と無停電電源装置１０−１の劣化度とを比較する（ステップＳ２０８）。劣化度判定部１０６−２は、比較の結果、無停電電源装置１０−１に設けられた冷却ファン６０−１の劣化度よりも無停電電源装置１０−２の劣化度のほうが、劣化度が高いと判定する。
【００３０】
制御装置１００−１の状態制御部１０７−１は、制御装置１００−２に対して主系制御情報を送信する（ステップＳ２０９）。制御装置１００−１の状態制御部１０７−１は、無停電電源装置１０−１が主系として動作する制御を行う（ステップＳ２１０）。制御装置１００−２の状態制御部１０７−２は、無停電電源装置１０−２が従系として動作する制御を行う（ステップＳ２１０）。なお、ステップＳ２１０とステップＳ２１１とは同じタイミングで実行される。
【００３１】
このように構成された無停電電源システム１では、自装置劣化度推定部１０４が無停電電源装置１０に設けられた冷却ファン６０の音によって劣化度を推定する。他装置劣化度取得部１０５が、他の無停電電源装置１０に設けられた冷却ファン６０の劣化度を取得する。劣化度判定部１０６が、推定された劣化度と、取得された劣化度とを比較して、どちら冷却ファン６０が劣化しているか否かを判定する。状態制御部１０７は、判定結果に応じて、無停電電源装置１０の主系と従系とを切り替える制御を行う。具体的には、状態制御部１０７は、劣化度のより高い冷却ファン６０を備える無停電電源装置１０を従系にする制御を行い、劣化度の低い冷却ファン６０を備える無停電電源装置１０を主系にする制御を行う。無停電電源システム１は、主系と従系とを切り替えながら運用することで、特定の冷却ファン６０が過度に劣化する状態を防ぐことができる。冷却ファン６０の過度な劣化を防ぐことで冷却ファン６０の故障を抑制することができる。したがって、冷却ファン６０の故障に伴う無停電電源装置１０の故障停止の可能性を減少させることができる。
【００３２】
（第２の実施形態）
次に、第２の実施形態における無停電電源システム２について説明する。図５は、第２の実施形態の無停電電源システム２を示す概略図の一例を示す図である。第２の実施形態における無停電電源システム２は、無停電電源装置１０−１の代わりに無停電電源装置１０ａ−１、無停電電源装置１０−２の代わりに無停電電源装置１０ａ−２を備え、空調装置４００をさらに備える点で第１の実施形態とは異なるが、それ以外の構成は同じである。以下、第１の実施形態と異なる点について説明する。なお、無停電電源装置１０ａ−２は、図１に示す無停電電源装置１０ａ−１の構成例と同様の構成を有する。以下、いずれの無停電電源装置であるかを区別しないときは、単に無停電電源装置１０ａと称して説明する。
【００３３】
無停電電源装置１０ａは、コンバータ２０（コンバータ２０−１〜コンバータ２０−２）、インバータ３０（インバータ３０−１〜インバータ３０−２）、蓄電池４０（蓄電池４０−１〜蓄電池４０−２）、切替器５０（切替器５０−１〜切替器５０−２）、冷却ファン６０（冷却ファン６０−１〜冷却ファン６０−２）及び制御装置１００ａ（制御装置１００ａ−１〜制御装置１００ａ−２）を備える。制御装置１００ａは、ＣＰＵ等のプロセッサがプログラムを実行することによって実現される。
【００３４】
空調装置４００は、無停電電源装置１０ａの設置された室内の温度を調整する。空調装置４００は、制御装置１００ａによる制御に基づいて、無停電電源装置１０ａの周囲温度を調整する。空調装置４００は、例えば、劣化度の高い側の無停電電源装置１０ａの周囲温度を劣化度の低い側の無停電電源装置１０ａの周囲温度よりも低くなるように調整する。空調装置４００は、複数設けられていてもよい。
【００３５】
図６は、第２の実施形態の制御装置１００ａの構成を示す機能ブロック図である。制御装置１００ａは、制御プログラムを実行することによって通信部１０１、マイク１０２及び及び制御部１０３ａを備える装置として機能する。制御装置１００ａは、ＡＳＩＣやＰＬＤやＦＰＧＡ等のハードウェアを用いて実現されてもよい。なお、制御装置１００ａ−１の構成と制御装置１００ａ−２の構成とは、図６に示す制御装置１００ａの構成例と同様の構成を有する。
【００３６】
制御部１０３ａは、制御装置１００ａの各部の動作を制御する。制御部１０３ａは、例えばＣＰＵ等のプロセッサ及びＲＡＭを備えた装置により実行される。制御部１０３ａは、制御プログラムを実行することによって、自装置劣化度推定部１０４、他装置劣化度取得部１０５、劣化度判定部１０６、状態制御部１０７及び空調制御部１０８として機能する。
【００３７】
空調制御部１０８は、劣化度判定部１０６の判定結果に基づいて空調装置４００を制御する。具体的には、空調制御部１０８は、制御装置１００ａを備える無停電電源装置１０ａに設けられた冷却ファン６０の劣化度よりも他装置である無停電電源装置１０ａに設けられた冷却ファン６０の劣化度のほうが高い場合、空調装置４００に対して他装置である無停電電源装置１０ａの周囲温度をより下げる制御を行う。空調制御部１０８は、他装置である無停電電源装置１０ａに設けられた冷却ファン６０の劣化度よりも自装置である無停電電源装置１０ａに設けられた冷却ファン６０の劣化度のほうが高い場合、空調装置４００に対して自装置である無停電電源装置１０ａの周囲温度をより下げる制御を行う。
【００３８】
このように構成された無停電電源システム２では、空調制御部１０８が劣化度判定部１０６の判定結果に基づいて空調装置４００を制御する。例えば、空調制御部１０８は、より劣化度の高い冷却ファン６０を備える無停電電源装置１０ａの周囲温度を下げる制御を空調装置４００に対して行う。このため、劣化度の高い冷却ファン６０の周囲温度を下げることで、特定の冷却ファン６０が過度に劣化することを防ぐことができる。冷却ファン６０の過度な劣化を防ぐことで冷却ファン６０の故障を抑制することができる。したがって、冷却ファン６０の故障を抑制することで、冷却ファン６０の故障に伴う無停電電源装置１０ａの故障停止の可能性を減少させることができる。
【００３９】
上記各実施形態では、自装置劣化度推定部、他装置劣化度取得部、劣化度判定部、状態制御部及び空調制御部はソフトウェア機能部であるものとしたが、ＬＳＩ等のハードウェア機能部であってもよい。
【００４０】
制御装置は、ネットワークを介して通信可能に接続された複数台の情報処理装置を用いて実装されてもよい。この場合、制御装置が備える各機能部は、複数の情報処理装置に分散して実装されてもよい。例えば、他装置劣化度取得部と劣化度判定部とはそれぞれ異なる情報処理装置に実装されてもよい。
【００４１】
以上説明した少なくともひとつの実施形態によれば、自装置劣化度推定部１０４、他装置劣化度取得部１０５、劣化度判定部１０６及び状態制御部１０７を持つことにより、冷却ファン６０の故障を抑制し、無停電電源装置１０の故障停止の可能性を減少させることができる。
【００４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１…無停電電源システム、２…無停電電源システム、５…商用電源、１０…無停電電源装置、２０…コンバータ、３０…インバータ、４０…蓄電池、５０…切替器、６０…冷却ファン、１００…制御装置、１０１…通信部、１０２…マイク、１０３…制御部、１０４…自装置劣化度推定部、１０５…他装置劣化度取得部、１０６…劣化度判定部、１０７…状態制御部、１０８…空調制御部、２００…並列盤、３００…負荷、４００…空調装置
【図１】
2020137228.tif 000003
【図２】
2020137228.tif 000004
【図３】
2020137228.tif 000005
【図４】
2020137228.tif 000006
【図５】
2020137228.tif 000007
【図６】
2020137228.tif 000008